(57)【要約】  被験者の顔に対して、上下に二分するように上部領域と下部領域を設定し、下部領域の水分量の測定値を取得する共に上部領域の水分量の測定値を取得し、上部領域および下部領域の水分量の測定値に基づいて、上部領域および下部領域の一方に分布する水分量の水準を示す対象水分値と、上部領域および下部領域の他方を含む基準領域に分布する水分量の水準を示す基準水分値とを算出し、基準水分値に対する対象水分値の水分変化度を求め、求められた水分変化度に基づいて、被験者の顔におけるニキビの発生し易さを判定する。
2014208185.tif 000002
【特許請求の範囲】
【請求項１】
被験者の顔に対して、上下に二分するように上部領域と下部領域を設定し、
前記下部領域の水分量の測定値を取得し、
前記上部領域の水分量の測定値を取得し、
前記上部領域および前記下部領域の水分量の測定値に基づいて、前記上部領域および前記下部領域の一方に分布する水分量の水準を示す対象水分値と、前記上部領域および前記下部領域の他方を含む基準領域に分布する水分量の水準を示す基準水分値とを算出し、
前記基準水分値に対する前記対象水分値の水分変化度を求め、
求められた前記水分変化度に基づいて、被験者の顔におけるニキビの発生し易さを判定することを特徴とするニキビ肌判定方法。
【請求項２】
前記対象水分値は前記下部領域に分布する水分量の水準を示すと共に、前記基準水分値は前記上部領域に分布する水分量の水準を示し、
前記基準水分値に対する前記対象水分値の水分減少度を前記水分変化度とする請求項１に記載のニキビ肌判定方法。
【請求項３】
前記対象水分値は前記下部領域に分布する水分量の水準を示すと共に、前記基準水分値は顔全体の領域に分布する水分量の水準を示し、
前記基準水分値に対する前記対象水分値の水分減少度を前記水分変化度とする請求項１に記載のニキビ肌判定方法。
【請求項４】
前記上部領域と前記下部領域は、被験者の顔において口の下端部と目の上端部の高さ位置の間を通過するように設定された境界線により上下に二分される請求項１〜３のいずれか一項に記載のニキビ肌判定方法。
【請求項５】
被験者の顔を中心線で分けた顔半分に対して、目頭から口角を通る第１の縦線と目尻を通る第２の縦線により前記顔半分を横に３分割すると共に、額を上下に二分する第１の横線と、目の上端部を通る第２の横線と、目の下端部を通る第３の横線と、口の上端部を通る第４の横線と、口の下端部を通る第５の横線とにより、前記顔半分を縦に６分割することで、前記顔半分を目と口を除く１６の領域に分け、
前記第３の横線の上側に位置する領域を領域Ａ１から領域Ａ８とすると共に、前記第３の横線と前記第４の横線の間に位置する領域を顔の中心部から側部に向かって領域Ａ９から領域Ａ１１とし、さらに前記第４の横線の下側に位置する領域を領域Ａ１２から領域Ａ１６とし、
前記上部領域と前記下部領域は、前記領域Ａ１から前記領域Ａ１６に基づいて設定される請求項４に記載のニキビ肌判定方法。
【請求項６】
前記上部領域は前記領域Ａ１から前記領域Ａ１０により構成されると共に、前記下部領域は前記領域Ａ１１から前記領域Ａ１６により構成される請求項５に記載のニキビ肌判定方法。
【請求項７】
前記上部領域は前記領域Ａ１から前記領域Ａ９により構成されると共に、前記下部領域は前記領域Ａ１０から前記領域Ａ１６により構成される請求項５に記載のニキビ肌判定方法。
【請求項８】
前記上部領域は前記領域Ａ１から前記領域Ａ１１により構成されると共に、前記下部領域は前記領域Ａ１２から前記領域Ａ１６により構成される請求項５に記載のニキビ肌判定方法。
【請求項９】
前記水分変化度は、前記基準水分値に対する前記対象水分値の比率に基づいて求められる請求項１〜８のいずれか一項に記載のニキビ肌判定方法。
【請求項１０】
前記水分変化度は、前記基準水分値と前記対象水分値の差に基づいて求められる請求項１〜８のいずれか一項に記載のニキビ肌判定方法。
【請求項１１】
前記対象水分値は、前記上部領域および前記下部領域の一方の領域内の複数の測定箇所を測定して得られた水分量の平均値から求められる請求項１〜１０のいずれか一項に記載のニキビ肌判定方法。
【請求項１２】
前記基準水分値は、前記基準領域内の複数の測定箇所を測定して得られた水分量の平均値から求められる請求項１〜１１のいずれか一項に記載のニキビ肌判定方法。
【請求項１３】
前記対象水分値と前記基準水分値は、月経直前の所定期間内に測定された前記下部領域の水分量と前記上部領域の水分量に基づいてそれぞれ求められる請求項１〜１２のいずれか一項に記載のニキビ肌判定方法。
【請求項１４】
被験者の顔に対して、上下に二分するように上部領域と下部領域を設定して、前記下部領域の水分量の測定値を取得すると共に前記上部領域の水分量の測定値を取得し、前記上部領域および前記下部領域の水分量の測定値に基づいて、前記上部領域および前記下部領域の一方に分布する水分量の水準を示す対象水分値と、前記上部領域および前記下部領域の他方を含む基準領域に分布する水分量の水準を示す基準水分値とを算出する領域水分値算出部と、
前記基準水分値に対する前記対象水分値の水分変化度を求める水分減少度算出部と、
前記水分減少度算出部で求められた前記水分変化度に基づいて、被験者の顔におけるニキビの発生し易さを判定するニキビ肌判定部とを備えることを特徴とするニキビ肌判定装置。
【発明の詳細な説明】
【技術分野】
【０００１】
この発明は、ニキビ肌判定方法およびニキビ肌判定装置に係り、特に、肌の水分量に基づいてニキビの発生し易さを判定するニキビ肌判定方法およびニキビ肌判定装置に関する。
【背景技術】
【０００２】
近年、美容分野では、ニキビ（面皰）が発生し易い肌、いわゆるニキビ肌を判定する様々な方法が提案されている。
例えば、特許文献１には、テープストリッピングにより皮膚から角層を採取して、角層細胞の接着に関与する角層タンパク質を検出し、角層における角層タンパク質の存在状態に基づいて皮膚を評価する皮膚評価方法が開示されている。ニキビは、一般的に、細胞接着性の亢進による角層の重層化が一因で発生すると考えられており、この細胞接着性の亢進に関与するデスモグレインなどの角層タンパク質を検出することにより、ニキビ肌を判定することができる。【０００３】
しかしながら、特許文献１の皮膚評価方法では、角層タンパク質の検出に多くの労力を要すると共に、テープストリッピングにより皮膚を採取するため被験者に負担を与えてしまう。そこで、簡便な測定から得られる皮膚の水分量や油分量を指標として、ニキビ肌を判定するニキビ肌判定方法が提案されている。例えば、頬や額の油分量の多さからニキビ肌の判定をすることが提案されている。
【先行技術文献】
【特許文献】
【０００４】
【特許文献１】特開２００７−１９９０５３号公報
【発明の概要】
【発明が解決しようとする課題】
【０００５】
ここで、２０歳以上の被験者を対象に、顔Ｆに発生したニキビが多いものと少ないものとで、顔Ｆにおける油分の分布を調べた結果を図１２（ａ）および（ｂ）に示す。図１２（ａ）および（ｂ）は、ニキビが多い被験者とニキビが少ない被験者について、それぞれ顔Ｆの左半分を１６分割した分割領域について実際に油分量を測定し、得られた油分量を０．０〜１．０の間で規格化すると共にその規格化値に応じてそれぞれの分割領域を区別して表したものである。図１２（ａ）および（ｂ）に示すように、ニキビが多い被験者とニキビが少ない被験者では、顔Ｆの同一部位において油分量の差はほとんどなく、顔Ｆにおける油分の分布は変わらないことがわかった。このことから、２０歳以上の被験者に発生する、いわゆる大人ニキビは、油分量による影響が小さいことが考えられた。さらに、２０歳以上の被検者を対象に、顔に発生したニキビが多いものと少ないものとで、顔の頬部分の水分量を調べたところ、頬部分の水分量が多い被験者の中にもニキビの数が多い被験者が多々存在するなど、頬部分の水分量とニキビの発生量との相関は低いものであった。このため、肌の水分量と油分量を指標としてニキビ肌を高精度に判定することは困難であった。【０００６】
この発明は、このような従来の問題点を解消するためになされたもので、ニキビ肌を高精度に判定することができるニキビ肌判定方法およびニキビ肌判定装置を提供することを目的とする。
【課題を解決するための手段】
【０００７】
この発明に係るニキビ肌判定方法は、被験者の顔に対して、上下に二分するように上部領域と下部領域を設定し、下部領域の水分量の測定値を取得し、上部領域の水分量の測定値を取得し、上部領域および下部領域の水分量の測定値に基づいて、上部領域および下部領域の一方に分布する水分量の水準を示す対象水分値と、上部領域および下部領域の他方を含む基準領域に分布する水分量の水準を示す基準水分値とを算出し、基準水分値に対する対象水分値の水分変化度を求め、求められた水分変化度に基づいて、被験者の顔におけるニキビの発生し易さを判定するものである。【０００８】
ここで、対象水分値は下部領域に分布する水分量の水準を示すと共に、基準水分値は上部領域に分布する水分量の水準を示し、基準水分値に対する対象水分値の水分減少度を水分変化度とすることができる。また、対象水分値は下部領域に分布する水分量の水準を示すと共に、基準水分値は顔全体の領域に分布する水分量の水準を示し、基準水分値に対する対象水分値の水分減少度を水分変化度とすることもできる。【０００９】
また、上部領域と下部領域は、被験者の顔において口の下端部と目の上端部の高さ位置の間を通過するように設定された境界線により上下に二分されるのが好ましい。【００１０】
また、被験者の顔を中心線で分けた顔半分に対して、目頭から口角を通る第１の縦線と目尻を通る第２の縦線により顔半分を横に３分割すると共に、額を上下に二分する第１の横線と、目の上端部を通る第２の横線と、目の下端部を通る第３の横線と、口の上端部を通る第４の横線と、口の下端部を通る第５の横線とにより、顔半分を縦に６分割することで、顔半分を目と口を除く１６の領域に分け、第３の横線の上側に位置する領域を領域Ａ１から領域Ａ８とすると共に、第３の横線と第４の横線の間に位置する領域を顔の中心部から側部に向かって領域Ａ９から領域Ａ１１とし、さらに第４の横線の下側に位置する領域を領域Ａ１２から領域Ａ１６とし、上部領域と下部領域は、領域Ａ１から領域Ａ１６に基づいて設定することができる。【００１１】
また、上部領域は領域Ａ１から領域Ａ１０により構成されると共に、下部領域は領域Ａ１１から領域Ａ１６により構成することができる。
また、上部領域は領域Ａ１から領域Ａ９により構成されると共に、下部領域は領域Ａ１０から領域Ａ１６により構成することもできる。
また、上部領域は領域Ａ１から領域Ａ１１により構成されると共に、下部領域は領域Ａ１２から領域Ａ１６により構成することもできる。【００１２】
また、水分変化度は、基準水分値に対する対象水分値の比率に基づいて求めることができる。また、水分変化度は、基準水分値と対象水分値の差に基づいて求めることもできる。【００１３】
また、対象水分値は、上部領域および下部領域の一方の領域内の複数の測定箇所を測定して得られた水分量の平均値から求めるのが好ましい。
また、基準水分値は、基準領域内の複数の測定箇所を測定して得られた水分量の平均値から求めるのが好ましい。【００１４】
また、対象水分値と基準水分値は、月経直前の所定期間内に測定された下部領域の水分量と上部領域の水分量に基づいてそれぞれ求めることができる。【００１５】
この発明に係るニキビ肌判定装置は、被験者の顔に対して、上下に二分するように上部領域と下部領域を設定して、下部領域の水分量の測定値を取得すると共に上部領域の水分量の測定値を取得し、上部領域および下部領域の水分量の測定値に基づいて、上部領域および下部領域の一方に分布する水分量の水準を示す対象水分値と、上部領域および下部領域の他方を含む基準領域に分布する水分量の水準を示す基準水分値とを算出する領域水分値算出部と、基準水分値に対する対象水分値の水分変化度を求める水分減少度算出部と、水分減少度算出部で求められた水分変化度に基づいて、被験者の顔におけるニキビの発生し易さを判定するニキビ肌判定部とを備えるものである。
【発明の効果】
【００１６】
この発明によれば、上部領域および下部領域の一方に分布する水分量の水準を示す対象水分値と、上部領域および下部領域の他方を含む基準領域に分布する水分量の水準を示す基準水分値とを算出し、基準水分値に対する対象水分値の水分変化度を求めて、水分変化度に基づいて被験者の顔におけるニキビの発生し易さを判定するので、ニキビ肌を高精度に判定することが可能となる。
【図面の簡単な説明】
【００１７】
【図１】この発明の実施の形態１に係るニキビ肌判定方法を行うニキビ肌判定装置の構成を示すブロック図である。
【図２】被験者の顔における水分量の分布を示し、（ａ）はニキビが多い被験者の水分量の分布、（ｂ）はニキビが少ない被験者の水分量の分布をそれぞれ示す図である。
【図３】被験者の顔に対して設定される上部領域と下部領域の位置を示す図である。
【図４】被験者の顔に対して設定される上部領域と下部領域の位置の変形例を示す図である。
【図５】被験者の顔に対して設定される上部領域と下部領域の位置の他の変形例を示す図である。
【図６】ニキビ数に対して、基準水分値に対する対象水分値の比率から算出された水分減少度の変化を求めた図である。
【図７】ニキビ数に対して、基準水分値と対象水分値の差から算出された水分減少度の変化を求めた図である。
【図８】被験者の顔におけるニキビの分布を示す図である。
【図９】実施の形態２に係るニキビ肌判定方法において、ニキビが多い被験者の顔における水分量の分布を示し、（ａ）は月経直前における水分量の分布、（ｂ）は月経後における水分量の分布をそれぞれ示す図である。
【図１０】実施の形態２に係るニキビ肌判定方法において、ニキビが少ない被験者の顔における水分量の分布を示し、（ａ）は月経直前における水分量の分布、（ｂ）は月経後における水分量の分布をそれぞれ示す図である。
【図１１】月経前後において、ニキビ数に対して、基準水分値に対する対象水分値の比率から算出された水分減少度の変化を求めた図である。
【図１２】被験者の顔における油分量の分布を示し、（ａ）はニキビが多い被験者の油分量の分布、（ｂ）はニキビが少ない被験者の油分量の分布をそれぞれ示す図である。
【発明を実施するための形態】
【００１８】
以下、この発明の実施の形態を添付図面に基づいて説明する。
実施の形態１
図１に、この発明の実施の形態１に係るニキビ肌判定方法を行うニキビ肌判定装置の構成を示す。ニキビ肌判定装置は、被験者の顔に対して上下に二分するような上部領域と下部領域を設定した時に、顔の上部領域の水分量と下部領域の水分量に基づいてニキビ肌を判定するものであり、上部領域と下部領域の水分量を測定する水分量測定部１と、測定された水分量に基づいてニキビ肌を判定する判定装置本体２とを有する。
【００１９】
水分量測定部１は、プローブ３と、水分量算出部４とを順次接続して構成される。
プローブ３は、肌の水分量を検出するためのもので、その先端部には互いに間隔を空けて一対の電極が平行に配置されている。プローブ３の先端部を肌に当接することにより、肌の角質層（皮膚表面から約２０μｍの範囲）を誘電体としたコンデンサが形成され、肌の角質層の水分量に応じた誘電率の差異を電極間の静電容量の差異として検出する。例えば、プローブ３の先端部を、上部領域内の複数の測定箇所と下部領域内の複数の測定箇所にそれぞれ当接することで、それぞれの測定箇所の角質層の水分量に応じた静電容量を検出することができる。
水分量算出部４は、プローブ３で検出されたそれぞれの測定箇所の静電容量に基づいて、その測定箇所の角質層に含まれる水分量を算出する。
なお、水分量測定部１としては、例えば、Corneometer CM820およびCorneometer CM825（登録商標）などを用いることができる。
【００２０】
一方、判定装置本体２は、水分量測定部１の水分量算出部４に接続された領域水分値算出部５を備え、この領域水分値算出部５に水分減少度算出部６、ニキビ肌判定部７、表示制御部８および表示部９が順次接続されている。また、領域水分値算出部５、水分減少度算出部６および表示制御部８には記憶部１０が接続されている。さらに、領域水分値算出部５、水分減少度算出部６およびニキビ肌判定部と７には制御部１１が接続され、この制御部１１に操作部１２が接続されている。
【００２１】
領域水分値算出部５は、水分量測定部１の水分量算出部４から入力される、被験者の顔の上部領域内の複数の測定箇所について水分量を測定した値と、下部領域内の複数の測定箇所について水分量を測定した値とに基づいて、上部領域（基準領域）に分布する水分量の水準を示す基準水分値を算出すると共に下部領域に分布する水分量の水準を示す対象水分値を算出する。
【００２２】
具体的には、基準水分値と対象水分値は、上部領域と下部領域におけるそれぞれの水分含有率から求めることができる。例えば、基準水分値は、上部領域内の複数の測定箇所をそれぞれ測定して得られた水分量の平均値から求めることができ、対象水分値は、下部領域内の複数の測定箇所をそれぞれ測定して得られた水分量の平均値から求めることができる。なお、基準水分値は、上部領域に分布する水分量の水準を示していれば上部領域内の１つの測定箇所を測定して得られた水分量を用いてもよい。例えば、上部領域内の複数の測定箇所において水分量がほぼ同じ値を示す場合には、１つの測定箇所の水分量を基準水分値とすることができる。同様に、対象水分値は、下部領域に分布する水分量の水準を示していれば下部領域内の１つの測定箇所を測定して得られた水分量を用いてもよい。
領域水分値算出部５は、算出した基準水分値と対象水分値を水分減少度算出部６に出力すると共に記憶部１０に格納する。また、水分量測定部１から入力された水分量を記憶部１０に格納することもできる。
【００２３】
水分減少度算出部６は、領域水分値算出部５で算出された基準水分値に対する対象水分値の水分減少度を求め、求められた対象水分値の水分減少度をニキビ肌判定部７に出力すると共に記憶部１０に格納する。
ニキビ肌判定部７は、予め臨床試験を実施して得られた水分減少度の情報を指標として、水分減少度算出部６から入力された水分減少度の評価を行うことにより、被験者の顔におけるニキビの発生し易さ（ニキビ肌）を判定する。
表示制御部８は、ニキビ肌判定部７で求められたニキビ肌の判定結果を表示部９に表示させる。また、表示制御部８は、記憶部１０に格納された基準水分値、対象水分値、上部領域の水分量、下部領域の水分量および水分減少度を表示部９に表示させることもできる。
【００２４】
表示部９は、例えば、ＬＣＤ等のディスプレイ装置を含んでおり、表示制御部８の制御の下、ニキビ肌判定部７で判定されたニキビ肌の判定結果などを表示する。
記憶部１０は、領域水分値算出部５および水分減少度算出部６から入力される水分減少度などの情報を格納するもので、例えばメモリなどから構成される。
操作部１２は、操作者が情報の入力操作を行うためのもので、キーボード、マウス、トラックボール、タッチパネル等から形成することができる。
制御部１１は、操作者により操作部１２から入力された各種の指令信号等に基づいて、ニキビ肌判定装置内の各部の制御を行う。
なお、領域水分値算出部５、水分減少度算出部６、ニキビ肌判定部７、表示制御部８および制御部１１は、ＣＰＵと、ＣＰＵに各種の処理を行わせるための動作プログラムから構成されるが、それらをデジタル回路で構成してもよい。また、ＣＰＵにバスなどの信号線を介して記憶部１０を接続することができ、例えば、領域水分値算出部５および水分減少度算出部６から入力される水分減少度などの情報、ニキビ肌判定部７で過去に求められたニキビ肌の判定結果、予め臨床試験を実施して得られた水分減少度の情報などを記憶部１０にそれぞれ格納し、この記憶部１０に格納された情報を制御部１１の制御の下で表示部９に表示させることができる。
【００２５】
次に、ニキビが多い被験者と少ない被験者の顔における水分量の分布の違いについて説明する。
図２（ａ）および（ｂ）に、ニキビが多い被験者とニキビが少ない被験者における顔Ｆの水分量の分布を示す。図２（ａ）および（ｂ）は、それぞれ２０歳以上の被験者を対象に、顔Ｆの左半分を１６分割した分割領域Ａ１〜Ａ１６について実際に水分量を測定し、得られた水分量を０．０〜１．０の間で規格化すると共にその規格化値に応じてそれぞれの分割領域Ａ１〜Ａ１６を区別して表したものである。
【００２６】
ここで、被験者の顔Ｆの鼻と口Ｍの中心位置を通る中心線で分けられる顔の左半分に対して、目頭から口角を通る第１の縦線Ｎ１と目尻を通る第２の縦線Ｎ２により顔の左半分を横に３分割すると共に、額を上下に二分する第１の横線Ｎ３と、目の上端部を通る第２の横線Ｎ４と、目の下端部を通る第３の横線Ｎ５と、口の上端部を通る第４の横線Ｎ６と、口の下端部を通る第５の横線Ｎ７とにより、顔Ｆの左半分を縦に６分割することで、顔Ｆの左半分を１８の分割領域に分けた。そして、顔Ｆの左半分を分割した１８の分割領域のうち、口と目の領域を除く１６の分割領域を分割領域Ａ１〜Ａ１６とした。
具体的には、それぞれ顔の中心部から側部に向かって、第１の横線Ｎ３の上側に位置する分割領域を分割領域Ａ１〜Ａ３、第１の横線Ｎ３と第２の横線Ｎ４の間に位置する分割領域を分割領域Ａ４〜Ａ６、第２の横線Ｎ４と第３の横線Ｎ５の間に位置する分割領域を分割領域Ａ７およびＡ８、第３の横線Ｎ５と第４の横線Ｎ６の間に位置する分割領域を分割領域Ａ９〜Ａ１１、第４の横線Ｎ６と第５の横線Ｎ７の間に位置する分割領域を分割領域Ａ１２およびＡ１３、第５の横線Ｎ７の下側に位置する分割領域を分割領域Ａ１４〜Ａ１６とした。
【００２７】
図２（ａ）に示すように、ニキビが多い被験者の顔Ｆに分布する水分量は、口Ｍの上端部の高さ位置（第４の横線Ｎ６）を境に顔を上部領域Ｕと下部領域Ｌに二分した時に、顔の上部領域Ｕに含まれる分割領域Ａ１〜Ａ６、Ａ８〜Ａ１１では規格化値０．７７以上の高い値を示しているのに対して、顔の下部領域Ｌに含まれる分割領域Ａ１２〜Ａ１５では規格化値０．５９〜０．６９の低い値を示している。一方、図２（ｂ）に示すように、ニキビが少ない被験者の顔Ｆに分布する水分量は、いずれの分割領域Ａ１〜Ａ６、Ａ８〜Ａ１５も規格化値０．７３以上の高い値を示し、顔の上部領域Ｕと下部領域Ｌで大きな変化はみられない。
なお、分割領域Ａ７およびＡ１６は、ニキビ肌の判定に大きく寄与するものではないため水分量の測定を行っていないが、周囲の分割領域と同等の水分量を有する領域であり、上記の水分量の分布に反するものではない。
【００２８】
これにより、ニキビが多い被験者の顔Ｆでは、上部領域Ｕに分布する水分量の水準値に対して下部領域Ｌに分布する水分量の水準値が減少していることがわかった。なお、肌の角質の水分量は、季節の違いなどにより変化するものであるが、ニキビが多い被験者の顔Ｆにおいて、上部領域Ｕに対する下部領域Ｌの水分量の減少傾向は季節にかかわらず常に観察された。
【００２９】
ここで、ニキビが多い被験者の顔Ｆにおいて、上部領域Ｕに対して下部領域Ｌの水分量が減少する要因の一つに、ニキビ肌で生じるバリア機能の低下が考えられる。すなわち、ニキビ肌内部において、例えばＩＬ−６などの炎症性因子が増加して、肌の角質層に存在するセラミドの合成に関わる酵素の遺伝子発現および酵素活性が炎症性因子により阻害され、角質層内のセラミド量が減少する。このセラミドは、肌の角質層においてバリア機能を担っており、角質層内のセラミド量が減少することにより肌のバリア機能も低下して、肌の角質層の水分量が低下する。これにより、肌が乾燥してターンオーバー（新陳代謝）に異常をきたし、ニキビの発生を招くことになる。このニキビの発生は、上記の炎症性因子の増加をさらに引き起こしていくため、肌の角質層の水分量がより一層低下してニキビが成長および増加することになる。このように、ニキビの成長および増加は、バリア機能の低下に伴う肌の水分量の低下に応じて引き起こされるものである。
【００３０】
一般に、１０歳代の思春期のニキビは顔の鼻領域と額領域を含む、いわゆるＴゾーンに発生するのに対し、２０歳代以上のニキビは顔の頬領域と下顎部分を含む、いわゆるＵゾーンに発生する。このため、２０歳代以上のニキビ肌の被験者では、顔のＵゾーンにおいて上記の水分量の低下が生じており、このＵゾーンにおける水分量の低下が、図２（ａ）に示すような、顔の下部領域Ｌに分布する水分量の減少を引き起こしているものと考えられる。
【００３１】
このことから、ニキビが多い被験者の顔Ｆでは、上部領域Ｕにおいて一定の水分量が保たれるのに対して、下部領域Ｌにおいてニキビ肌に応じた水分量の低下が引き起こされることがわかる。このため、被験者の顔Ｆの上部領域Ｕに分布する水分量の水準値に対する、下部領域Ｌに分布する水分量の水準値の水分減少度を求めることにより、ニキビ肌を判定することができる。
【００３２】
なお、図２（ａ）では、被験者の顔Ｆにおいて口Ｍの高さ位置を境界として上部領域Ｕと下部領域Ｌに分けられたが、被験者によってその境界位置は大きく変化するものである。具体的には、上部領域Ｕと下部領域Ｌの境界位置は、口Ｍの下端部の高さ位置（第５の横線Ｎ７）と目Ｅの上端部の高さ位置（第２の横線Ｎ４）の間の境界範囲Ｂ内で大きく変動する。このため、上部領域Ｕと下部領域Ｌを分ける境界線は、被験者の年齢などに応じて境界範囲Ｂ内でその位置を変化させるのが好ましい。
【００３３】
次に、この実施の形態１の動作について説明する。
まず、図１に示すニキビ肌判定装置の判定装置本体２において、操作者が操作部１２を操作することにより、被験者の顔に対して上下に上部領域Ｕと下部領域Ｌに二分する境界線Ｋが設定される。
境界線Ｋは、被験者の顔Ｆにおいて境界領域Ｂ内を通過するように設定され、例えば図３に示すように、頬領域Ｒ１の上端部、目の直下領域Ｒ２の下端部、および口Ｍの下端部を通るように設定することができる。これにより、上部領域Ｕは、額領域Ｒ３、鼻領域Ｒ４および目の直下領域Ｒ２から構成され、下部領域Ｌは、頬領域Ｒ１および下顎に対応する肌からなる顎肌領域Ｒ５から構成される。
【００３４】
ここで、頬領域Ｒ１は分割領域Ａ１１から構成され、目の直下領域Ｒ２は分割領域Ａ１０から構成され、額領域Ｒ３は分割領域Ａ１〜Ａ６、Ａ８から構成され、鼻領域Ｒ４は分割領域Ａ７およびＡ９から構成され、顎肌領域Ｒ５は分割領域Ａ１２〜Ａ１６から構成されており、上部領域Ｕは分割領域Ａ１〜Ａ１０により構成されると共に下部領域Ｌは分割領域Ａ１１〜Ａ１６により構成されることになる。
【００３５】
続いて、操作者は、上部領域Ｕと下部領域Ｌのそれぞれの領域内に、水分量を測定する測定箇所を設定する。例えば、図３に示すように、９つの測定箇所Ｐ１〜Ｐ９を設定することができる。ここで、測定箇所Ｐ１は額領域Ｒ３の中心から少し横に位置し、測定箇所Ｐ２は眉中心付近の上側に位置し、測定箇所Ｐ３は眉端の上側に位置し、測定箇所Ｐ４は鼻領域Ｒ４の横に位置し、測定箇所Ｐ５は目尻の下側に位置し、測定箇所Ｐ６は頬領域Ｒ１において耳から４〜５ｃｍ内側に位置し、測定箇所Ｐ７は顎肌領域Ｒ５の中心から少し横に位置し、測定箇所Ｐ８は口角の下側に位置し、測定箇所Ｐ９は顎肌領域Ｒ５の側部側に位置するものである。すなわち、測定箇所Ｐ１〜Ｐ５は上部領域Ｕ内に位置し、測定箇所Ｐ６〜Ｐ９は下部領域Ｌ内に位置している。
なお、被験者の顔Ｆに設定される境界線Ｋと測定箇所Ｐ１〜Ｐ９は、設定条件などを予め判定装置本体２内に保存しておくことにより、制御部１２が自動的に設定することもできる。
【００３６】
次に、水分量測定部１のプローブ３が、被験者の顔Ｆの測定箇所Ｐ１〜Ｐ９の位置に順次当接され、それぞれの測定箇所Ｐ１〜Ｐ９の角質層の水分量に応じた静電容量がそれぞれ検出される。
プローブ３で検出された各測定箇所Ｐ１〜Ｐ９の静電容量は、水分量算出部４に出力され、この静電容量に基づいて、水分量算出部４が測定箇所Ｐ１〜Ｐ９の水分量をそれぞれ算出する。算出された測定箇所Ｐ１〜Ｐ９の水分量は、水分量算出部４から判定装置本体２の領域水分値算出部５に出力される。
【００３７】
領域水分値算出部５は、水分量算出部４で算出された各測定箇所Ｐ１〜Ｐ９の水分量を、上部領域Ｕ内に含まれる測定箇所Ｐ１〜Ｐ５の水分量と、下部領域Ｌ内に含まれる測定箇所Ｐ６〜Ｐ９の水分量とに区別し、測定箇所Ｐ１〜Ｐ５の水分量に基づいて上部領域Ｕに分布する水分量の水準を示す基準水分値を算出すると共に、測定箇所Ｐ６〜Ｐ９の水分量に基づいて下部領域Ｌに分布する水分量の水準を示す対象水分値を算出する。
具体的には、基準水分値は、測定箇所Ｐ１〜Ｐ５の水分量の平均値から求めることができ、対象水分値は、測定箇所Ｐ６〜Ｐ９の水分量の平均値から求めることができる。また、基準水分値を測定箇所Ｐ１〜Ｐ５の水分量の中央値から求めると共に対象水分値を測定箇所Ｐ６〜Ｐ９の水分量の中央値から求めることもできる。
【００３８】
なお、基準水分値と対象水分値は、例えば、水分量測定部１でそれぞれの測定箇所を測定して得られた水分量の測定値に基づいて算出することができ、また、図２（ａ）および（ｂ）に示すように水分量の測定値を規格化した規格化値に基づいて算出することもできる。
算出された基準水分値と対象水分値は、領域水分値算出部５から水分減少度算出部６に出力されると共に、記憶部１０に格納される。
【００３９】
水分減少度算出部６は、領域水分値算出部５で算出された基準水分値と対象水分値に基づいて、基準水分値に対する対象水分値の水分減少度を求める。この水分減少度は、上部領域Ｕに分布する水分量の水準値に対する下部領域Ｌに分布する水分量の水準値の減少度を示すもので、例えば、基準水分値に対する対象水分値の比率に基づいて求めることができる。また、水分減少度は、基準水分値と対象水分値の差に基づいて求めることもできる。
求められた水分減少度は、水分減少度算出部６からニキビ肌判定部７に出力されると共に、記憶部１０に格納される。
【００４０】
ニキビ肌判定部７は、予め顔の水分量を測定して得られた水分減少度の指標に基づいて、水分減少度算出部６で求められた水分減少度の評価を行うことにより、被験者の顔におけるニキビの発生し易さを判定する。
例えば、水分減少度が基準水分値に対する対象水分値の比率に基づいて求められた場合には、水分減少度が小さいほどニキビが発生し易いと判定される。また、水分減少度が基準水分値と対象水分値の差に基づいて求められた場合には、水分減少度が大きいほどニキビが発生し易いと判定される。
また、予め水分減少度の閾値を設定しておき、その閾値に基づいてニキビの発生し易さを評価することもできる。閾値は、例えば、水分量減少度0.8〜0.9程度に設定することができ、年間を通して固定の閾値としてもよく、また、季節に応じてその閾値が変化するように設定または保管されていても良い。
【００４１】
ニキビ肌判定部７で求められたニキビ肌の判定結果は、表示制御部８に出力され、その判定結果を表示制御部８が表示部９に表示させる。また、表示制御部８は、ニキビ肌の判定結果と共に、記憶部１０に格納された各測定箇所Ｐ１〜Ｐ９の水分量などを表示部９に表示することもできる。
【００４２】
本実施の形態によれば、被験者の顔Ｆにおいて一定の水分量を有する上部領域Ｕと、ニキビ肌の進行に伴って水分量が低下する下部領域Ｌとを比較してニキビ肌を判定するため、ニキビ肌を高精度に判定することができる。
【００４３】
なお、上記の実施の形態では、被験者の顔Ｆの上部領域Ｕを本発明の基準領域として設定し、上部領域Ｕに分布する水分量に基づいて基準水分値を求めると共に下部領域Ｌに分布する水分量に基づいて対象水分値を求めたが、これに限るものではない。具体的には、上部領域Ｕおよび下部領域Ｌの水分量の測定値に基づいて、上部領域Ｕおよび下部領域Ｌの一方に分布する水分量の水準を対象水分値とすると共に上部領域Ｕおよび下部領域Ｌの他方を含む領域を基準領域としてこの基準領域に分布する水分量の水準を基準水分値とすることができ、基準水分値に対する対象水分値の水分減少度または水分増加度（水分変化度）に基づいて被験者の顔におけるニキビの発生し易さを判定することができる。
【００４４】
例えば、被験者の顔全体を基準領域に設定して、上部領域Ｕの水分量と下部領域Ｌの水分量を測定した値に基づいて、顔全体に分布する水分量の水準を示す基準水分値を算出すると共に下部領域Ｌに分布する水分量の水準を示す対象水分値を算出することができる。これにより、基準水分値に対する対象水分値の水分減少度に基づいてニキビ肌を判定することができる。
また、被験者の顔の下部領域Ｌを基準領域に設定して、下部領域Ｌに分布する水分量の水準を示す基準水分値を算出すると共に上部領域Ｕに分布する水分量の水準を示す対象水分値を算出することもできる。これにより、基準水分値に対する対象水分値の水分増加度に基づいてニキビ肌を判定することができる。
また、被験者の顔全体を基準領域に設定して、顔全体に分布する水分量の水準を示す基準水分値を算出すると共に上部領域Ｕに分布する水分量の水準を示す対象水分値を算出することもできる。これにより、基準水分値に対する対象水分値の水分増加度に基づいてニキビ肌を判定することができる。
【００４５】
なお、水分増加度は、基準水分値に対する対象水分値の比率、または、基準水分値と対象水分値の差に基づいて求めることができる。水分増加度が基準水分値に対する対象水分値の比率に基づいて求められた場合には、水分増加度が大きいほどニキビが発生し易いと判定される。また、水分増加度が基準水分値と対象水分値の差に基づいて求められた場合には、水分増加度が小さいほどニキビが発生し易いと判定される。
【００４６】
また、被験者の顔Ｆに対して上下に上部領域Ｕと下部領域Ｌに二分する境界線Ｋは、図４に示すように、頬領域Ｒ１の上端部、目の直下領域Ｒ２の上端部、および口の下端部を通るように設定することができる。これにより、上部領域Ｕは、額領域Ｒ３および鼻領域Ｒ４から構成され、下部領域Ｌは、顎肌領域Ｒ５、頬領域Ｒ１および目の直下領域Ｒ２から構成される。すなわち、上部領域Ｕは分割領域Ａ１〜Ａ９から構成され、下部領域Ｌは分割領域Ａ１０〜Ａ１６から構成される。
また、境界線Ｋは、図５に示すように、顎肌領域Ｒ５の上端部を通るように設定することができる。これにより、上部領域Ｕは、額領域Ｒ３、鼻領域Ｒ４、目の直下領域Ｒ２および頬領域Ｒ１から構成され、下部領域Ｌは、顎肌領域Ｒ５から構成される。すなわち、上部領域Ｕは分割領域Ａ１〜Ａ１１から構成され、下部領域Ｌは分割領域Ａ１２〜Ａ１６から構成される。
【００４７】
また、上記の実施の形態では、水分量測定部１は、プローブ３の先端部を肌に当接して肌の水分量に応じた静電容量を検出することにより水分量を測定したが、肌の水分量を測定することができればよく、これに限るものではない。
例えば、Skicon-100およびSkicon-200（登録商標）などを用いて、肌の角質層の水分量に応じたコンダクタンスを検出することにより、肌の水分量を測定することもできる。
さらに、水分の近赤外領域の吸収特性を利用して近赤外計測することにより肌の水分量を測定することもできる。水分は1400nmに吸収波長を持つ為、例えば、1400nmのバンドパスフィルタを用いた近赤外カメラ、または、近赤外分光画像計測機により被験者の顔を計測し、計測した顔画像から水分量を計測することができる。
【００４８】
また、上記の実施の形態では、ニキビ肌判定装置は、水分量測定部１と判定装置本体２とから構成されたが、水分量測定部１を除くと共に、被験者の顔Ｆの水分量を測定したデータを判定装置本体２の領域水分値算出部５に入力して取得する構成とすることもできる。
例えば、判定装置本体２は、被験者の顔Ｆの水分量を保存したコンピュータとネットワークを介して接続され、コンピュータから入力された水分量に基づいてニキビ肌を判定して、その判定結果をサーバなどに格納する構成にすることができる。これにより、ユーザは、サーバにアクセスすることでニキビ肌の判定結果を閲覧、または、サーバからネットワークを介してニキビ肌の判定結果を入手することができる。
【００４９】
ここで、上記のニキビ肌判定方法を用いて、実際にニキビ肌を判定した実施例の一例を示す。
この実施例は、２０歳以上の１２名の被験者をニキビがある群（ニキビ数は２〜１８個）と、ニキビがない群（ニキビ数は０個）とに分け、図３に示す測定箇所Ｐ１〜Ｐ９の水分量を測定した。この測定して得られた測定箇所Ｐ１〜Ｐ９の水分量に基づいて、顔全体の水分量の平均値（基準水分値Ａ１）と、上部領域Ｕの水分量の平均値（基準水分値Ａ２）と、下部領域Ｌの水分量の平均値（対象水分値Ｂ）とを求め、基準水分値Ａ１またはＡ２に対する対象水分値Ｂの比率に基づいて水分減少度（対象水分値Ｂ／基準水分値Ａ１、対象水分値Ｂ／基準水分値Ａ２）を算出した。そして、被験者毎に算出されたこれらの値について、ニキビがある群とニキビがない群とで平均値を求めた結果を表１に示す。
【００５０】
なお、実施例１は、図３に示すように、上部領域Ｕと下部領域Ｌを分ける境界線Ｋを頬領域Ｒ１の上端部、目の直下領域Ｒ２の下端部および口Ｍの下端部を通るように設定したものである。実施例２は、図４に示すように、境界線Ｋを頬領域Ｒ１の上端部、目の直下領域Ｒ２の上端部および口Ｍの下端部を通るように設定したものである。実施例３は、図５に示すように境界線Ｋを顎肌領域Ｒ５の上端部を通るように設定したものである。
【００５１】
【表１】
2014208185.tif 000003
【００５２】
表１に示すように、実施例１〜３において、基準水分値Ａ２はニキビがある群とない群とで同等の値を示すことがわかった。また、対象水分値Ｂは、基準水分値Ａ２の値に対して、ニキビがない群で同等の値を示すのに対し、ニキビがある群で低下していた。このことから、ニキビが多い被験者の顔Ｆでは、上部領域Ｕにおいて一定の水分量が保たれるのに対して、下部領域Ｌにおいてニキビ肌に応じた水分量の低下が引き起こされていることが考えられた。
【００５３】
また、基準水分値Ａ１またはＡ２に対する対象水分値Ｂの水分減少度は、ニキビがない群に対して、ニキビがある群において大きく減少していることがわかった。ここで、実施例１について、ニキビの個数に対して水分減少度の値をプロットした結果を図６に示す。このように、ニキビ数の増加に伴い水分減少度の値が減少しており、これらの間には高い相関があることがわかる。実際に、実施例１〜３について、ニキビ数に対する相関を求めた表１に示される相関係数では、基準水分値Ａ１およびＡ２が−０．１０〜０．２１と低い値を示しているのに対して、水分減少度は−０．６７〜−０．６８と高い値を示しており、ニキビ数と水分減少度には高い相関があることがわかった。
このことから、基準水分値Ａ１またはＡ２に対する対象水分値Ｂの比率を水分減少度としてニキビ肌を判定することにより、高精度にニキビ肌を判定できることがわかる。
【００５４】
なお、基準水分値Ａ１またはＡ２と対象水分値Ｂの差に基づいて水分減少度を算出した場合でも、ニキビ数と水分減少度の間には高い相関関係が認められる。図７に、実施例１について、基準水分値と対象水分値の差に基づいて算出された水分減少度の値をニキビ数に対してプロットした結果を示す。このように、ニキビ数の増加に伴い水分減少度の値が減少しており、これらの間の相関係数は０．５の高い相関を示した。
このことから、基準水分値Ａ１またはＡ２と対象水分値Ｂの差を水分減少度としてニキビ肌を判定することにより、高精度にニキビ肌を判定できることがわかる。
【００５５】
さらに、図８に、２０歳以上の２５人の被験者におけるニキビの発生位置を白点で表し、これを重ねて表示したものを示す。このように、２０歳以上の被験者では、顔の額領域Ｒ３と鼻領域Ｒ４を含むＴゾーンに発生するニキビは少ないのに対し、顔の頬領域Ｒ１、目の直下領域Ｒ２および顎肌領域Ｒ５を含むＵゾーンにニキビが多く発生することがわかる。特に、頬領域Ｒ１と、顎肌領域Ｒ５内の口周辺において多くのニキビが観察された。
これにより、２０歳以上の被験者では、顔のＵゾーンにニキビが発生し易く、これが顔の上部領域Ｕに分布する水分量に対して下部領域Ｌに分布する水分量を低下させる要因であることが示唆された。
【００５６】
実施の形態２
実施の形態１では、一定期間にわたってニキビ肌が持続する被験者を対象に、顔の上部領域Ｕに対する下部領域Ｌの水分量の低下に基づいてニキビ肌を判定したが、ニキビが一時的に発生する被験者についても、上部領域Ｕに対する下部領域Ｌの水分量の低下に基づいてニキビ肌の判定を行うことができる。
【００５７】
例えば、女性の被験者は、月経周期に伴って肌の状態が変化することが知られている。図９（ａ）および（ｂ）に、ニキビが多い被験者における月経直前と月経後の水分量の分布を示すと共に、図１０（ａ）および（ｂ）に、ニキビが少ない被験者における月経直前と月経後の水分量の分布を示す。図９（ａ）および（ｂ）並びに図１０（ａ）および（ｂ）は、それぞれ２０歳以上の女性の被験者を対象に、顔Ｆの左半分を１６分割した分割領域Ａ１〜Ａ１６のうち分割領域Ａ１〜Ａ６、Ａ８〜Ａ１５について実際に水分量を測定し、得られた水分量を０．０〜１００．０の間で規格化すると共にその規格化値に応じてそれぞれの分割領域Ａ１〜Ａ６、Ａ８〜Ａ１５を区別して表したものである。
【００５８】
図９（ａ）に示すように、月経直前において、ニキビが多い被験者の顔Ｆに分布する水分量は、上部領域Ｕに含まれる分割領域Ａ１〜Ａ６、Ａ９、Ａ１０において規格化値５３以上の高い値を示しているのに対して、下部領域Ｌに含まれる分割領域Ａ８、Ａ１１〜Ａ１５では規格化値４０．０〜５１．０の低い値を示している。これに対して、図９（ｂ）に示すように、月経後では、ニキビが多い被験者の顔Ｆに分布する水分量は、多くの分割領域Ａ１〜Ａ６、Ａ８〜Ａ１５で高い値を示し、顔の上部領域Ｕと下部領域Ｌで大きな変化はみられなかった。
一方、図１０（ａ）および（ｂ）に示すように、月経直前および月経後において、ニキビが少ない被験者の顔Ｆに分布する水分は、いずれの分割領域Ａ１〜Ａ６、Ａ８〜Ａ１５でも高い値を示し、顔の上部領域Ｕと下部領域Ｌで大きな変化はみられなかった。
【００５９】
このことから、ニキビが少ない被験者は、月経直前および月経後において、上部領域Ｕに対する下部領域Ｌの水分量の水準はほとんど変化しないのに対し、ニキビが多い被験者は、月経直前の所定期間内に一時的に、上部領域Ｕに対する下部領域Ｌの水分量が低下することがわかる。
【００６０】
実際に、ニキビが多い被験者とニキビが少ない被験者について、月経直前と月経後における顔の水分量を測定し、ニキビの個数に対して水分減少度の値をプロットした結果を図１１に示す。ここで、顔の水分量は、図３に示すように、測定箇所Ｐ１〜Ｐ９の水分量を測定した。また、被験者の顔に対する上部領域Ｕと下部領域Ｌの設定は、図３に示すように、境界線Ｋを頬領域Ｒ１の上端部、目の直下領域Ｒ２の下端部および口Ｍの下端部を通るように設定して行った。図１１では、ニキビが多い被験者を測定して得られた結果を●で示し、ニキビが少ない被験者を測定して得られた結果を◆で示している。
図１１に示すように、ニキビが多い被験者において、月経直前に発生した６つのニキビが月経後には２つに減少し、このニキビ数の減少に伴って水分減少度が上昇していることがわかる。また、ニキビが少ない被験者においても、月経直前の水分減少度に対して月経後の水分減少度がわずかに上昇していた。
【００６１】
このことから、被験者の顔における上部領域Ｕに対する下部領域Ｌの水分量、月経の前後において一時的に変化することが示唆される。また、ニキビが少ない被験者は、月経直前の水分減少度に対する月経後の水分減少度の上昇が小さいのに対し、ニキビが多い被験者は、月経直前の水分減少度に対する月経後の水分減少度の上昇が大きいことがわかる。これにより、ニキビが多い被験者は、月経の前後で顔の水分量が大きく変化し、その変化は、月経直前において、上部領域Ｕに対する下部領域Ｌの水分量が一時的に大きく低下することによるものと考えられた。
【００６２】
そこで、月経直前の所定期間内における被験者の顔の水分量に基づいて、月経前のニキビの発生し易さを判定することができる。
すなわち、図１に示すニキビ判定装置の水分量測定部１により、月経直前の所定期間内における被験者の顔Ｆの水分量を測定し、その水分量の値が水分量測定部１から判定装置本体２の領域水分値算出部５に出力される。領域水分値算出部５は、水分量測定部１から入力された水分量に基づいて、被験者の顔の上部領域Ｕに分布する水分量の水準を示す基準水分値を算出すると共に、下部領域Ｌに分布する水分量の分布を示す対象水分値を算出する。
【００６３】
領域水分値算出部５により算出された基準水分値と対象水分値は、水分減少度算出部６に出力され、水分減少度算出部６が、基準水分値に対する対象水分値の水分減少度を求める。そして、この水分減少度に基づいて、ニキビ判定部７が、被験者の顔について、月経前のニキビの発生し易さを判定する。
本実施の形態によれば、月経周期に応じて顔の肌状態が大きく変化する被験者に対して、月経直前におけるニキビの発生し易さを高精度に判定することができる。
【符号の説明】
【００６４】
１  水分量測定部、２  判定装置本体、３  プローブ、４  水分量算出部、５  領域水分値算出部、６  水分減少度算出部、７  ニキビ肌判定部、８  表示制御部、９  表示部、１０  記憶部、１１  制御部、１２  操作部、Ｆ  顔、Ｍ  口、Ｅ  目、Ａ１〜Ａ１６  分割領域、Ｎ１，Ｎ２  縦線、Ｎ３〜Ｎ７  横線、Ｐ１〜Ｐ９  測定箇所、Ｕ  上部領域、Ｌ  下部領域、Ｂ  境界範囲、Ｒ１  頬領域、Ｒ２  目の直下領域、Ｒ３  額領域、Ｒ４  鼻領域、Ｒ５  顎肌領域。
【図１】
2014208185.tif 000004
【図２】
2014208185.tif 000005
【図３】
2014208185.tif 000006
【図４】
2014208185.tif 000007
【図５】
2014208185.tif 000008
【図６】
2014208185.tif 000009
【図７】
2014208185.tif 000010
【図８】
2014208185.tif 000011
【図９】
2014208185.tif 000012
【図１０】
2014208185.tif 000013
【図１１】
2014208185.tif 000014
【図１２】
2014208185.tif 000015
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
ニキビ肌判定装置の作動方法であって、
前記ニキビ肌判定装置は、操作部と、水分量算出部と、領域水分値算出部と、水分減少度算出部と、ニキビ肌判定部と、制御部と、を有し、
前記操作部から操作者により入力された情報に基づいて、前記制御部が、被験者の顔に対して、上下に二分するように上部領域と下部領域を設定するステップと、
前記水分量算出部が、前記下部領域の水分量の測定値を取得するステップと、
前記水分量算出部が、前記上部領域の水分量の測定値を取得するステップと、
前記領域水分値算出部が、前記上部領域および前記下部領域の水分量の測定値に基づいて、前記上部領域および前記下部領域の一方に分布する水分量の水準を示す対象水分値と、前記上部領域および前記下部領域の他方を含む基準領域に分布する水分量の水準を示す基準水分値とを算出するステップと、
前記水分減少度算出部が、前記基準水分値に対する前記対象水分値の水分変化度を求めるステップと、
前記ニキビ肌判定部が、求められた前記水分変化度に基づいて、被験者の顔におけるニキビの発生し易さを判定するステップと、を備えることを特徴とするニキビ肌判定装置の作動方法。
【請求項２】
前記対象水分値は前記下部領域に分布する水分量の水準を示すと共に、前記基準水分値は前記上部領域に分布する水分量の水準を示し、
前記基準水分値に対する前記対象水分値の水分減少度を前記水分変化度とする請求項１に記載のニキビ肌判定装置の作動方法。
【請求項３】
前記対象水分値は前記下部領域に分布する水分量の水準を示すと共に、前記基準水分値は顔全体の領域に分布する水分量の水準を示し、
前記基準水分値に対する前記対象水分値の水分減少度を前記水分変化度とする請求項１に記載のニキビ肌判定装置の作動方法。
【請求項４】
前記上部領域と前記下部領域は、被験者の顔において口の下端部と目の上端部の高さ位置の間を通過するように設定された境界線により上下に二分される請求項１〜３のいずれか一項に記載のニキビ肌判定装置の作動方法。
【請求項５】
被験者の顔を中心線で分けた顔半分に対して、目頭から口角を通る第１の縦線と目尻を通る第２の縦線により前記顔半分を横に３分割すると共に、額を上下に二分する第１の横線と、目の上端部を通る第２の横線と、目の下端部を通る第３の横線と、口の上端部を通る第４の横線と、口の下端部を通る第５の横線とにより、前記顔半分を縦に６分割することで、前記顔半分を目と口を除く１６の領域に分け、
前記第３の横線の上側に位置する領域を領域Ａ１から領域Ａ８とすると共に、前記第３の横線と前記第４の横線の間に位置する領域を顔の中心部から側部に向かって領域Ａ９、領域Ａ１０および領域Ａ１１とし、さらに前記第４の横線の下側に位置する領域を領域Ａ１２から領域Ａ１６とし、
前記上部領域と前記下部領域は、前記領域Ａ１から前記領域Ａ１６に基づいて設定される請求項４に記載のニキビ肌判定装置の作動方法。
【請求項６】
前記上部領域は前記領域Ａ１から前記領域Ａ１０により構成されると共に、前記下部領域は前記領域Ａ１１から前記領域Ａ１６により構成される請求項５に記載のニキビ肌判定装置の作動方法。
【請求項７】
前記上部領域は前記領域Ａ１から前記領域Ａ９により構成されると共に、前記下部領域は前記領域Ａ１０から前記領域Ａ１６により構成される請求項５に記載のニキビ肌判定装置の作動方法。
【請求項８】
前記上部領域は前記領域Ａ１から前記領域Ａ１１により構成されると共に、前記下部領域は前記領域Ａ１２から前記領域Ａ１６により構成される請求項５に記載のニキビ肌判定装置の作動方法。
【請求項９】
前記水分変化度は、前記基準水分値に対する前記対象水分値の比率に基づいて求められる請求項１〜８のいずれか一項に記載のニキビ肌判定装置の作動方法。
【請求項１０】
前記水分変化度は、前記基準水分値と前記対象水分値の差に基づいて求められる請求項１〜８のいずれか一項に記載のニキビ肌判定装置の作動方法。
【請求項１１】
前記対象水分値は、前記上部領域および前記下部領域の一方の領域内の複数の測定箇所を測定して得られた水分量の平均値から求められる請求項１〜１０のいずれか一項に記載のニキビ肌判定装置の作動方法。
【請求項１２】
前記基準水分値は、前記基準領域内の複数の測定箇所を測定して得られた水分量の平均値から求められる請求項１〜１１のいずれか一項に記載のニキビ肌判定装置の作動方法。
【請求項１３】
前記対象水分値と前記基準水分値は、月経直前の所定期間内に測定された前記下部領域の水分量と前記上部領域の水分量に基づいてそれぞれ求められる請求項１〜１２のいずれか一項に記載のニキビ肌判定装置の作動方法。
【請求項１４】
被験者の顔に対して、上下に二分するように上部領域と下部領域を設定して、前記下部領域の水分量の測定値を取得すると共に前記上部領域の水分量の測定値を取得し、前記上部領域および前記下部領域の水分量の測定値に基づいて、前記上部領域および前記下部領域の一方に分布する水分量の水準を示す対象水分値と、前記上部領域および前記下部領域の他方を含む基準領域に分布する水分量の水準を示す基準水分値とを算出する領域水分値算出部と、
前記基準水分値に対する前記対象水分値の水分変化度を求める水分減少度算出部と、
前記水分減少度算出部で求められた前記水分変化度に基づいて、被験者の顔におけるニキビの発生し易さを判定するニキビ肌判定部とを備えることを特徴とするニキビ肌判定装置。
【手続補正３】
【補正対象書類名】明細書
【補正対象項目名】０００１
【補正方法】変更
【補正の内容】
【０００１】
この発明は、ニキビ肌判定装置およびニキビ肌判定装置の作動方法に係り、特に、肌の水分量に基づいてニキビの発生し易さを判定するニキビ肌判定装置およびニキビ肌判定装置の作動方法に関する
【手続補正４】
【補正対象書類名】明細書
【補正対象項目名】０００６
【補正方法】変更
【補正の内容】
【０００６】
この発明は、このような従来の問題点を解消するためになされたもので、ニキビ肌を高精度に判定することができるニキビ肌判定装置およびニキビ肌判定装置の作動方法を提供することを目的とする。
【手続補正５】
【補正対象書類名】明細書
【補正対象項目名】０００７
【補正方法】変更
【補正の内容】
【０００７】
この発明は、ニキビ肌判定装置の作動方法であって、ニキビ肌判定装置は、操作部と、水分量算出部と、領域水分値算出部と、水分減少度算出部と、ニキビ肌判定部と、制御部と、を有し、操作部から操作者により入力された情報に基づいて、制御部が、被験者の顔に対して、上下に二分するように上部領域と下部領域を設定するステップと、水分量算出部が、下部領域の水分量の測定値を取得するステップと、水分量算出部が、上部領域の水分量の測定値を取得するステップと、領域水分値算出部が、上部領域および下部領域の水分量の測定値に基づいて、上部領域および下部領域の一方に分布する水分量の水準を示す対象水分値と、上部領域および下部領域の他方を含む基準領域に分布する水分量の水準を示す基準水分値とを算出するステップと、水分減少度算出部が、基準水分値に対する対象水分値の水分変化度を求めるステップと、ニキビ肌判定部が、求められた水分変化度に基づいて、被験者の顔におけるニキビの発生し易さを判定するステップと、を備えるものである。
【手続補正６】
【補正対象書類名】明細書
【補正対象項目名】００１０
【補正方法】変更
【補正の内容】
【００１０】
また、被験者の顔を中心線で分けた顔半分に対して、目頭から口角を通る第１の縦線と目尻を通る第２の縦線により顔半分を横に３分割すると共に、額を上下に二分する第１の横線と、目の上端部を通る第２の横線と、目の下端部を通る第３の横線と、口の上端部を通る第４の横線と、口の下端部を通る第５の横線とにより、顔半分を縦に６分割することで、顔半分を目と口を除く１６の領域に分け、第３の横線の上側に位置する領域を領域Ａ１から領域Ａ８とすると共に、第３の横線と第４の横線の間に位置する領域を顔の中心部から側部に向かって領域Ａ９、領域Ａ１０および領域Ａ１１とし、さらに第４の横線の下側に位置する領域を領域Ａ１２から領域Ａ１６とし、上部領域と下部領域は、領域Ａ１から領域Ａ１６に基づいて設定することができる。
【手続補正７】
【補正対象書類名】明細書
【補正対象項目名】００１８
【補正方法】変更
【補正の内容】
【００１８】
以下、この発明の実施の形態を添付図面に基づいて説明する。
実施の形態１
図１に、この発明の実施の形態１に係るニキビ肌判定装置の構成を示す。ニキビ肌判定装置は、被験者の顔に対して上下に二分するような上部領域と下部領域を設定した時に、顔の上部領域の水分量と下部領域の水分量に基づいてニキビ肌を判定するものであり、上部領域と下部領域の水分量を測定する水分量測定部１と、測定された水分量に基づいてニキビ肌を判定する判定装置本体２とを有する。
【手続補正８】
【補正対象書類名】明細書
【補正対象項目名】００４９
【補正方法】変更
【補正の内容】
【００４９】
ここで、上記のニキビ肌判定装置を用いて、実際にニキビ肌を判定した実施例の一例を示す。
この実施例は、２０歳以上の１２名の被験者をニキビがある群（ニキビ数は２〜１８個）と、ニキビがない群（ニキビ数は０個）とに分け、図３に示す測定箇所Ｐ１〜Ｐ９の水分量を測定した。この測定して得られた測定箇所Ｐ１〜Ｐ９の水分量に基づいて、顔全体の水分量の平均値（基準水分値Ａ１）と、上部領域Ｕの水分量の平均値（基準水分値Ａ２）と、下部領域Ｌの水分量の平均値（対象水分値Ｂ）とを求め、基準水分値Ａ１またはＡ２に対する対象水分値Ｂの比率に基づいて水分減少度（対象水分値Ｂ／基準水分値Ａ１、対象水分値Ｂ／基準水分値Ａ２）を算出した。そして、被験者毎に算出されたこれらの値について、ニキビがある群とニキビがない群とで平均値を求めた結果を表１に示す。
【国際調査報告】
2014208185.tif 000016
2014208185.tif 000017
2014208185.tif 000018
2014208185.tif 000019
2014208185.tif 000020